(57)【要約】      （修正有）【課題】便座の大変形により便座内周部が変形し、使用者の臀部が便器内に落ち込まない便座を提供する。【解決手段】便座の本体部材２３０を硬質樹脂層で構成し、硬質樹脂層の上に軟質樹脂層の表皮を構成して、さらに着座時の座圧を分散させて、長時間着座しても痛みを伴わないように便座上板２１０を支持するリブ２２０を本体部材２３０に設けた。【選択図】図２
2014188112.tif 000002
【特許請求の範囲】
【請求項１】
着座面を有し、クッション性を有する便座上板と便座底板と、を備えた便座において、前記便座底板の内周部に前記便座上板を支持するリブを配置した事を特徴とする便座。
【請求項２】
前記リブは、前記便座上板の内周部の一部を支持していることを特徴とする請求項１に記載の便座。
【請求項３】
前記リブは、前記便座上板の内周部の全周部を支持していることを特徴とする請求項１に記載の便座。
【請求項４】
前記便座上板と前記便座底板とが溶着によって接合されていることを特徴とする請求項１〜３のいずれか１項に記載の便座。
【請求項５】
着座面を有し、クッション性を有する便座上板と、便座底板と、を備えた便座において、前記便座底板の内周側側周部の肉厚が、前記便座底板の外周側側周部の肉厚より厚い事を特徴とする便座。
【発明の詳細な説明】
【技術分野】
【０００１】
本発明の態様は、便器に設けられる便座に関する。
【背景技術】
【０００２】
現在の便座装置における便座は、内部に制御装置等が収納された本体ケースに回動自在に枢着されており、着座面側となる上面を構成する本体部材と、反対側の下面を構成する底板部材と、本体部材と底板部材の間に位置し、本体部材の裏面に構成するヒータと、で構成されている。
【０００３】
上記便座は使用者の荷重に耐えうる剛性を有する樹脂、主にABS樹脂やポリプロピレン等が使用されている。しかし、上記のような便座に使用される樹脂は一般的には硬質樹脂であるため、着座時に皮膚を圧迫し、血流の流れを阻害するため、長時間着座した場合は、痺れや痛みが生じてしまうものであった。
【０００４】
一方で上記不具合を解決するため、荷重がかかる際および荷重が開放される際に、変形する性質を有する軟質材で座面を構成する方法が提案されている（先行文献１）。この場合、大変形が可能であるため、様々な形状の臀部に倣うことが可能である。軟質材では、着座状態では使用者の臀部の形状に倣って変形しているため、効率的に座圧を分散させることができるため、局部的に圧迫される点が生じず、長時間座っても痺れ、痛み等を感じることがなく、座り心地の良い便座装置を提供できる。
【先行技術文献】
【特許文献】
【０００５】
【特許文献１】特開２００７−２８９３１４号公報
【発明の概要】
【発明が解決しようとする課題】
【０００６】
しかしながら、上記従来の便座装置において、便座の大変形により便座内周部が変形し、使用者の臀部が便器内に落ち込むという課題が挙げられる。この課題の解決策として、便座の本体部材を硬質樹脂層で構成し、前記硬質樹脂層の上に軟質樹脂層の表皮を構成することが考えられる。しかしこの場合は着座時の大変形が不可能となるため、座圧を分散する性能が低下してしまう。そこで本発明は着座時の座圧を分散させて、長時間着座しても痛みを伴わないとともに、便座の大変形による使用者の臀部が便器内に落ち込まない便座を提供することを目的とする。
【課題を解決するための手段】
【０００７】
第１の発明は、着座面を有し、クッション性を有する便座上板と便座底板と、を備えた便座において、前記便座底板の内周部に前記便座上板を支持するリブを配置した事を特徴とする便座である。
【０００８】
この便座によれば、クッション性を有する便座において、便座底板の内周部に便座上板を支持するリブを設けることによって、長時間着座しても痛みを伴わず、人体の着座などによる荷重が生じ、その荷重により、便座内周部が変形することを抑制することが可能となり、使用者の臀部が便器内に落ち込ませないことができる。
ここでのクッション性を有するとは、一般的な硬質樹脂材よりも、荷重に対して変形し易いことを指す。
【０００９】
また、第２の発明は、前記リブは、前記便座上板の内周部の一部を支持していることを特徴とする請求項１に記載の便座である。
【００１０】
この便座によれば、リブは便座上板の内周部の一部を支持していることにより、使用する材料を少なくし、コストを抑えることができる。また、重量も少なくなるため、便座を自動で開閉させるための動力に与える負荷も少なくすることができる。
【００１１】
また、第３の発明は、前記リブは、前記便座上板の内周部の全周部を支持していることを特徴とする請求項１に記載の便座である。
【００１２】
この便座によれば、使用者の排便時の小水が、直接便座にかかる、もしくは便器にはね返って便座にかかり、便座上板と便座底板の隙間から便座内に浸入することを、リブにより防ぐことができる。また便座を掃除するときの洗浄水の便座内部への浸入も防ぐことができるため、便座を清潔に保つことができる。また便座上板裏面にあるヒータを濡らすことがないため漏電を防ぎ、安全に便座を使用することができる。
【００１３】
また、第４の発明は、前記便座上板と前記便座底板とが溶着によって接合されていることを特徴とする請求項１〜３のいずれか１項に記載の便座である。
【００１４】
便座上板と便座底板とを溶着によって接合すると、強度が低くなる。そのため人体が着座したときには、その荷重による応力により溶着部が破損する恐れがある。この便座によれば、便座底板のリブが便座上板を支持することによって、その応力を分散することができ、便座の破損を防止して、安全に便座を使用することができる。
【００１５】
また、第５の発明は、着座面を有し、クッション性を有する便座上板と、便座底板と、を備えた便座において、前記便座底板の内周側側周部の肉厚が、前記便座底板の外周側側周部の肉厚より厚い事を特徴とする便座である。
【００１６】
この便座によれば、クッション性を有する便座において、便座底板の内周側側周部の肉厚が、前記便座底板の外周側側周部の肉厚より厚い事によって、着座時の座圧を分散させて、長時間着座しても痛みを伴わないとともに、便座の大変形による使用者の臀部が便器内に落ち込まない便座を提供できる。
【発明の効果】
【００１７】
本発明の便座は着座時の座圧を分散させて、長時間着座しても痛みを伴わないとともに、便座の大変形による使用者の臀部が便器内に落ち込まない便座を提供できる。
【図面の簡単な説明】
【００１８】
【図１】本発明の実施の形態にかかる便座装置を備えたトイレ装置を例示する斜視模式図である。
【図２】本実施形態に関わる便座装置のＡ−Ａ‘面を切断した図である。
【図３】本実施形態に関わる便座装置の便座底板を真上から見た図である。
【図４】第二の実施形態に関わる便座装置の便座底板を真上から見た図である。
【図５】第三の実施形態に関わる便座装置のＡ−Ａ‘面を切断した図である。
【発明を実施するための形態】
【００１９】
以下、本発明実施の形態を図面を参照しつつ説明する。なお、各図面中、同様の構成要素には同一の符号を付して詳細な説明は適宜省略する。
図１は、本発明の実施の形態にかかる便座装置を備えたトイレ装置を例示する斜視模式図である。
【００２０】
図１に表したトイレ装置は、洋式腰掛便器５００と、その上方に設けられた便座装置１００と、を備える。便座装置１００は、ケーシング４００と、便座２００と、便蓋３００と、を有する。便座２００と便蓋３００とは、ケーシング４００に対して開閉自在にそれぞれ軸支されている。便蓋３００は、閉じた状態において便座２００の上方を覆うことができる。
【００２１】
ケーシング４００の内部には、洗浄用の温水を作る熱交換器（図示せず）、局部を洗浄する洗浄手段（図示せず）、洗浄後の局部を乾燥する乾燥ユニット（図示せず）、排便の臭気を脱臭する脱臭ユニット（図示せず）、便座装置の各機能を制御する制御装置（図示せず）等が内蔵されている。使用者は前記洗浄手段から噴出される温水を局部に当てることにより、排便による汚れを洗い流すことができるものである。
【００２２】
図２に示すように、便座２００は使用者に皮膚と接触する面であり、軟質樹脂材からなる変形自在で使用者の臀部になじむ便座上板２１０、硬質樹脂材からなるリブ２２０、硬質樹脂材からなる便座底板２３０を備えている。便座上板２１０と便座底板２３０とは、外周部で溶着によって固定される。またリブ２２０と便座底板２３０は一体で構成されている。
【００２３】
便座上板２１０はオレフィン系エラストマーを主成分とする樹脂からなる。便座上板２１０としては１ｍｍ〜５ｍｍ程度の厚みで構成される。便座上板は、軟質材であれば他の材質によるものでも構わない。
ここでの軟質材とは、便座底板に使用される硬質樹脂材よりも弾性率が低い材料のことを指す。
【００２４】
これにより、使用者の着座時に便座上板２１０を変形させて、座圧を分散させることにより、長時間着座しても痛みを伴わない便座を提供できる。
【００２５】
便座底板２３０の材質としては結晶性樹脂、例えばポリプロピレン樹脂（ＰＰ樹脂）で構成されている。便座底板としては１ｍｍ〜５ｍｍ程度の厚みで構成され、非結晶性樹脂でも構わない。
【００２６】
リブ２２０は便座底板２３０と同じ材質で、一体で構成されている。これを便座底板２３０の内周側に配置することによって、人体の着座などによる荷重が生じ、軟質材で構成された便座上板２１０が変形する際に支持することが出来る。
【００２７】
これにより、便座上板２１０の内周部の変形を抑制することが可能となり、使用者の臀部が便器内へ落ち込むことを防ぐことができる。着座時の座圧を分散させて長時間着座しても痛みを伴わないとともに、便座の大変形による使用者の臀部が便器内ｎ落ち込むことを防ぐことができる。さらに便座上板と便座底板とを溶着によって接合すると、強度が低くなる。そのため人体が着座したときには、その荷重による応力により溶着部が破損する恐れがある。この便座によれば、便座底板のリブが便座上板を支持することによって、その応力を分散することができ、便座の破損を防止して、安全に便座を使用することが出来る。
【００２８】
次にリブの詳細な配置構成について図３で説明する。図３は本実施形態に関わる便座底板を真上から見た図である。図３に示すように、内周側側周部リブを設ける。リブは便座上板の内周部の一部を支持している。便座底板２３０の内周部数箇所にリブ２２１を設ける。これにより便座に使用する材料を少なくし、コストを抑えることができる。また、重量も軽くなるため、便座を自動で開閉させるための動力に与える負荷も少なくすることができる。この便座によれば、長時間着座しても痛みを伴わず、人体の着座などによる荷重が生じ、その荷重により、便座内周部が変形することを抑制することが可能となり、使用者の臀部が便器内に落ち込ませないことができる。
【００２９】
（第二実施形態）
次に、本発明の便座の第二実施形態に係る形態について図面を参照しつつ説明する。
【００３０】
図４に示すように、リブ２２２は、便座上板の内周部全体を支持するように、便座底板２３０の内周部の全周部に配置されている。
【００３１】
これにより、使用者の排便時の小水が、直接便座にかかる、もしくは便器にはね返って便座にかかり、便座上板と便座底板の隙間から便座内に浸入することを防ぐことができる。
【００３２】
また便座を掃除するときの洗浄水の便座内部への浸入も防ぐことができるため、便座を清潔に保つことができる。また便座上板裏面にあるヒータを濡らすことがないため漏電を防ぎ、安全に便座を使用することができる。
【００３３】
（第三実施形態）
次に、本発明の第三実施形態に係る形態について図面を参照しつつ説明する。
【００３４】
図５に示すように、便座底板２３０の内周側側周部２３１の肉厚が、便座底板２３０の外周側側周部２３２の肉厚より厚くなっている。
【００３５】
これにより、人体の着座などによる荷重が生じ、その荷重により、便座内周部が変形することを抑制することが可能となり、使用者の臀部が便器内に落ち込ませないことができる。
【符号の説明】
【００３６】
１００…暖房便座装置、２００…便座、２１０…便座上板、２２０．２２１、２２２…リブ、２３０…便座底板、２３１…便座底板の内周側側周部、２３２…便座底板の外周側側周部、３００…便蓋、４００…ケーシング
【図１】
2014188112.tif 000003
【図２】
2014188112.tif 000004
【図３】
2014188112.tif 000005
【図４】
2014188112.tif 000006
【図５】
2014188112.tif 000007